(57)【特許請求の範囲】
【請求項１】
被写体を撮像する撮像手段と、
前記撮像手段で撮像した画像データに圧縮処理を施す画像処理手段と、
前記画像処理手段により圧縮処理が施された画像データを記録する記録媒体と、
前記記録媒体から前記画像処理手段により圧縮処理が施された画像データを読み出して画像として表示する表示手段と、
色調整パラメータを用いて前記表示手段に表示された画像の色調整を実行する色調整手段と、
前記色調整手段により色調整された画像データを前記記録媒体に記録する記録手段と、を備え、
前記表示手段は、表示されている画像の色調が前記色調整手段により調整されると、当該表示されている画像の色調を変化させることを特徴とする電子スチルカメラ。
【請求項２】
請求項１記載の電子スチルカメラにおいて、
前記表示手段は、前記色調整パラメータを決定するナビゲーション表示を行うことを特徴とする電子スチルカメラ。
【請求項３】
請求項１または２に記載の電子スチルカメラにおいて、
前記表示手段は、前記記録媒体から読み出されて表示された画像に代えて、前記色調整された画像を表示することを特徴とする電子スチルカメラ。
【請求項４】
請求項２記載の電子スチルカメラにおいて、
前記ナビゲーションの表示と非表示とを切り換える切換手段を備えていることを特徴とする電子スチルカメラ。
【請求項５】
請求項２記載の電子スチルカメラにおいて、
前記決定された色調整パラメータを前記記録媒体に記録することを特徴とする電子スチルカメラ。
【請求項６】
請求項１〜４に記載の電子スチルカメラにおいて、
前記画像処理手段は、ホワイトバランス情報に基づいて、前記撮像手段で撮像した画像データに画像処理を施し、
前記記録手段は、前記色調整パラメータと前記ホワイトバランス情報とを前記記録媒体に記録する、ことを特徴とする電子スチルカメラ。
【請求項７】
請求項１〜６のいずれか１項に記載の電子スチルカメラにおいて、
前記画像データは本画像データと表示画像データとから構成され、
前記表示手段は表示画像データに基づく表示画像を表示し、
前記色調整手段は、前記色調整パラメータに基づいて前記表示画像データと前記本画像データとに対して色調を補正し、
前記記録手段は、補正した本画像データ及び表示画像データと、前記色調整パラメータとを関連付けて記録することを特徴とする電子スチルカメラ。
【請求項８】
請求項７に記載の電子スチルカメラにおいて、
前記色調整手段は、前記記録媒体に色調整済の表示画像データを記録する際に、本画像の色調整を実行して色調整済の本画像データを求めることを特徴とする電子スチルカメラ。
【請求項９】
請求項２に記載の電子スチルカメラはさらに、
前記記録媒体とは異なる第２記録媒体を有し、
前記決定された色調整パラメータは、前記第２記録媒体に記録されることを特徴とする電子スチルカメラ。
【発明の詳細な説明】
【技術分野】
【０００１】
本発明は、撮影画像の色調整を行う電子スチルカメラに関するものである。
【背景技術】
【０００２】
従来技術においては、自然光や蛍光灯等の光源毎にあらかじめ定められたパラメータを用いて、ホワイトバランスの変更処理を行っていた。
【特許文献１】特開２０００−１５２２７５公報
【発明の開示】
【発明が解決しようとする課題】
【０００３】
しかし、あらかじめ定められたパラメータを用いてホワイトバランスの変更処理を行った場合、画像の色調がユーザの意図する色調にならないことがあるという課題があった。
本発明は、前記した従来技術の課題に鑑み為されたもので、撮影された画像の色調をユーザの意図する色調に合わせることを可能にする電子スチルカメラを提供することを目的とする。
【課題を解決するための手段】
【０００４】
請求項１記載の電子スチルカメラは、被写体を撮像する撮像手段と、撮像手段で撮像した画像データに圧縮処理を施す画像処理手段と、画像処理手段により圧縮処理が施された画像データを記録する記録媒体と、記録媒体から画像処理手段により圧縮処理が施された画像データを読み出して画像として表示する表示手段と、色調整パラメータを用いて表示手段に表示された画像の色調整を実行する色調整手段と、色調整手段により色調整された画像データを記録媒体に記録する記録手段と、を備え、表示手段は、表示されている画像の色調が色調整手段により調整されると、表示されている画像の色調を変化させるようにしたものである。
請求項２記載の電子スチルカメラは、請求項１記載の電子スチルカメラにおいて、表示手段は、色調整パラメータを決定するナビゲーションを表示することを特徴とする。
【０００５】
請求項３記載の電子スチルカメラは、請求項１または２に記載の電子スチルカメラにおいて、表示手段は、記録媒体から読み出されて表示された画像に代えて、色調整された画像を表示することを特徴とする。
請求項４記載の電子スチルカメラは、請求項２記載の電子スチルカメラにおいて、ナビゲーションの表示と非表示とを切り換える切換手段を備えていることを特徴とする。
【０００６】
請求項５記載の電子スチルカメラは、請求項２記載の電子スチルカメラにおいて、決定された色調整パラメータを画像データと共に、記録媒体に記録することを特徴とする。
請求項６記載の電子スチルカメラは、請求項１〜４に記載の電子スチルカメラにおいて、画像処理手段は、ホワイトバランス情報に基づいて、撮像手段で撮像した画像データに画像処理を施し、記録手段は、色調整パラメータとホワイトバランス情報とを記録媒体に記録することを特徴とする。
【０００７】
請求項７記載の電子スチルカメラは、請求項１〜６のいずれか１項に記載の電子スチルカメラにおいて、画像データは本画像データと表示画像データとから構成され、表示手段は表示画像データに基づく表示画像を表示し、色調整手段は、色調整パラメータに基づいて表示画像データと本画像データとに対して色調を補正し、記録手段は、補正した本画像データ及び表示画像データと、色調整パラメータとを関連付けて記録することを特徴とする。
請求項８記載の電子スチルカメラは、請求項７記載の電子スチルカメラにおいて、色調整手段は、記録媒体に色調整済の表示画像データを記録する際に、本画像の色調整を実行して色調整済の本画像データを求めることを特徴とする。
請求項９記載の電子スチルカメラは、請求項２記載の電子スチルカメラにおいて、記録媒体とは異なる第２記録媒体を有し、決定された色調整パラメータは、第２記録媒体に記録されることを特徴とする。
【発明の効果】
【０００８】
本発明によれば、撮影された画像の色調をユーザの意図する色調に合わせることを可能にする電子スチルカメラを提供することができる。
【発明を実施するための最良の形態】
【０００９】
以下、本発明の実施形態について説明する。
（実施形態の概要）
図１と図２は、本発明の実施形態の概要を示す説明図である。
図１は電子スチルカメラの背面図である。図１において、１はＴＦＴ液晶等から成る背面モニタ、２は操作キー（この例では十字キー）、３は画像データを記録媒体に保存するための保存ボタン、４は色調整モードに入るための色調整ボタン、５は色調整モードにおいて表示されるナビゲーション、６は操作キー２によって移動するカーソルである。
【００１０】
図１は、色調整ボタン４が押下され、色調整モードに入った状態を示している。この場合、色調整を施す一画像が背面モニタ１に表示され、同時にナビゲーション５が表示される。
図２は、図１に示すナビゲーション５の一例を示す説明図である。図２に示すように、左横軸は青、右横軸は赤、上縦軸は緑、下縦軸はマゼンタを表している。ユーザが操作キー２を操作することによって、カーソル６が移動し、色調整パラメータが変化する。色調整パラメータの変化に応じて、即座に背面モニタ１に表示されている画像の色調が変化する。カーソル６の移動に伴う色調整パラメータの変化については後述（図６）する。
【００１１】
以上の説明から明らかなように、色調整モードにおいて、カーソル６を移動させることによって色調をユーザが意図する色調に合わせ、ユーザが保存ボタン３を押下することによって記録媒体に格納する。これによって、画像の色調をユーザの意図に合ったものに調整することができる。
（第１の実施形態）
図３は、本発明の実施形態の構成を示すブロック図である。
【００１２】
図３において、１１はＣＣＤ等の撮像素子、１２は画像処理部、１３は制御部、１４は操作部材、１はＴＦＴ液晶等の背面モニタ、１６は着脱自在なメモリカード、１７は作業用メモリであるＲＡＭ、１８はカメラの動作プログラム等を記憶するＲＯＭ、１９は後述するルックアップテーブルを格納しているフラッシュメモリである。
図３に示す実施形態と図１に示す概要図の対応関係は、次の通りである。図３に示す操作部材１４は、図１に示す操作キー２と保存ボタン３と色調整ボタン４とが対応する。図３に示すメモリカード１６は図１で説明した記録媒体に対応する。なお、背面モニタ１は同一であるので同一符号（１）を付している。
【００１３】
次に、図４を用いて図３に示す実施形態の動作を説明する。図４は図３に示す電子スチルカメラの動作を示すフローチャートである。まず、図１に示す操作部材１４（色調整ボタン４）の操作によって、制御部１３は色調整モードに入る。この時点において、メモリカード１６には、撮影によって得られた画像データが格納されている。すなわち、メモリカード１６には、撮像素子１１によって撮像され、画像処理部１２においてＡ／Ｄ変換、ホワイトバランス処理、相関二重サンプリング処理等の画像処理が行われた画像データ（例えばＪＰＥＧ等）が制御部１３を介して格納されている。
【００１４】
ステップＳ１において、制御部１３はメモリカード１６から一画像データを読み出して背面モニタ１に表示する。
ステップＳ２において、制御部１３はナビゲーション５を背面モニタ１に表示する。ユーザは、表示されたナビゲーション５内のカーソル６を操作して、色調整パラメータを特定する。
【００１５】
ステップＳ３において、制御部１３はカーソル６の位置を検出する。
ステップＳ４において、制御部１３はカーソル６の位置に基づいて色調整パラメータを取得する。
ステップＳ５において、制御部１３は表示画像の画像データに色調整パラメータを適用して、色調整を行う。
【００１６】
ステップＳ６において、制御部１３は表示画像を色調整された画像に更新する。
ステップＳ７において、ユーザは自分の意図する色調になっていない場合、更新画像をメモリカード１６に保存しない。この場合には、再びステップＳ２に戻ってステップＳ２〜ステップＳ７を繰り返す。ステップＳ７において、ユーザは自分の意図する色調になっている場合、ステップＳ８において操作部材１４の保存ボタン３を押下する。
【００１７】
ステップＳ９において、制御部１３は更新された色調整済画像の画像データをメモリカード１６に保存する。
次に、図５から図７を用いて、色調整パラメータを用いた色調整について説明する。
図５に示すように、この実施形態の色調整では、処理画像２０の画像データをＲ，Ｇ，Ｂの３つのプレーン２１、２２、２３に分離してＲプレーン２１とＢプレーン２３だけに図４のステップＳ４で求めた色調整パラメータを適用する。こうして、色調整済のＲ’プレーン２６とＢ’プレーン２７を得る。次に、Ｒ’プレーン２６とＧプレーン２２とＢ’プレーン２７とを合成して、色調整済画像２８を得る。
【００１８】
処理画像２０の画像データをＲ，Ｇ，Ｂの３つのプレーン２１、２２、２３に分離する工程は、制御部１３で行ってもよいし、また画像処理部１２で行ってもよい。分離の方法は、ＪＰＥＧ等の圧縮画像データの場合、画像データをデコードしてＲ，Ｇ，Ｂの３つのプレーン２１、２２、２３を得る。
なお、本発明はＪＰＥＧ等の圧縮画像だけに適用されるものではなく、メモリカード１６に格納されたデータがＲＡＷデータである場合にも適用することができる。具体的にはメモリカード１６から読み出されたＲＡＷデータの場合、例えばＲＡＷデータに補間処理を施すことにより、Ｒ，Ｇ，Ｂの３つのプレーン２１、２２、２３を得る。
【００１９】
以下の処理は、ＪＰＥＧ等の圧縮画像における処理と同様である。
すなわち、Ｒ’プレーン２６とＧプレーン２２とＢ’プレーン２７とを合成して色調整済画像２８を得る工程は、制御部１３で行ってもよいし、また画像処理部１２で行ってもよい。
次に、色調整パラメータを取得する方法について説明する。
【００２０】
図６は、図１に示すナビゲーション５を示す図である。図６に示すカーソル６は（赤、緑＝＋２、＋１）の座標に位置している。ナビゲーション５におけるカーソル６の位置によって、色調整パラメータが定まる。
ここで、ナビゲーション５には、次の規則が適用されている。
図６において、赤方向にカーソル６を移動させた場合はＲを加算し、Ｂを減算する。
【００２１】
図６において、青方向にカーソル６を移動させた場合はＲを減算し、Ｂを加算する。
図６において、緑方向にカーソル６を移動させた場合はＲとＢを共に減算する。
図６において、マゼンタ方向にカーソル６を移動させた場合はＲとＢを共に加算する。
したがって、図６に示すカーソル６は赤方向に２段階であるため、Ｒ＝＋２，Ｂ＝−２である。また、緑方向に１段階であるため、Ｒ＝−１，Ｂ＝−１である。その結果、Ｒ＝＋１，Ｂ＝−３を得る。得られた値（Ｒ＝＋１，Ｂ＝−３）が色調整パラメータである。
【００２２】
図７は、得られた色調整パラメータを用いて色調整を行うルックアップテーブルの一例を示す図である。ルックアップテーブルは、例えば図３に示すＲＯＭ１８に格納されている。ルックアップテーブルは、赤用と青用の２つが用意されているが、図７では赤用のルックアップテーブルだけを示している。
図７に示すように、入力がＩ１であったとき、色調整パラメータがＲ＝＋１であるので、＋１の変換曲線を用いて、出力Ｏ１が得られる。赤と青の全画素について、この変換処理を行うことにより、色調整済の画像データが得られる。この画像データをメモリカード１６等の記録媒体に格納して処理が終了する。
【００２３】
以上の説明においては、主としてメモリカード１６等の記録媒体に格納されているＪＰＥＧ等の圧縮画像の色調整について説明したが、本発明はこれに限定されるものではなく、前記したように、ＲＡＷデータの形式でメモリカード１６等の記録媒体に格納されている画像データについても適用することができる。
なお、上述のステップＳ９において、取得した色調整パラメータを、色調整済画像データヘッダ情報(例えばExif情報)として記録しても良い。また取得した色調整パラメータを色調整済画像データとは別のデータとしてメモリーカード１６やＲＡＭ１７、フラッシュメモリ１９等に記録しても良い。他の画像データの色調整を行うときに、記録済み画像データ内に記録された色調整パラメータ又は別データとして記録された色調整パラメータを利用することにより、他の画像データの色調整を迅速に行うことが可能となる。この場合、色調整モードが開始されると、始めに記憶された色調整パラメータが読み出され、該色調整パラメータにより色調整した画像データが背面モニタに表示される。なお、カーソル６は該色調整パラメータに応じた位置に表示される。
【００２４】
また、色調整ボタン４を押下することによって、電子スチルカメラは色調整モードに入ったが、例えば図４のステップＳ６において表示された更新画像がナビゲーション５の存在により見にくい場合には、再度色調整ボタン４を押下することによってナビゲーション５を非表示とするように構成してもよい。また、非表示用のボタンを設けてもよい。
（第２の実施形態）
第２の実施形態は、メモリカード１６等の記録媒体に格納されている画像データが、背面モニタ１に表示するための表示画像データと本画像データとから構成されている場合について説明する。
【００２５】
この場合、読み出された画像データのうち、表示画像データに基づく画像が背面モニタ１に表示される。ユーザは、図４に示すフローチャートにしたがって色調整パラメータを求め、表示画像データに基づく画像を意図する色調の画像に調整する。
次に、意図する色調の表示画像が得られたとき、求めた色調整パラメータを用いて本画像データに基づく画像を意図する色調の画像に調整する。その後、調整済の本画像データと表示画像データとを記録媒体に格納する。
【００２６】
この場合にも、求めた色調整パラメータを画像データと共に記録媒体に格納してもよい。
なお、表示画像データが記録媒体に記録されていないときには、記録されている画像データをリサイズして、背面モニタ１に表示すればよい。
＜付記事項＞
前記した実施形態においては、メモリカード１６等の記録媒体を電子スチルカメラに着脱自在に構成した。しかし、本発明はこれに限定されるものではなく、電子スチルカメラとメモリカード１６等の記録媒体とに無線通信等の通信技術を適用することによって、電子スチルカメラとメモリカード１６等の記録媒体が遠隔地にある場合でも、本発明を実施することができる。
【００２７】
また、上述した色調整画像データを保存する際に、色調整パラメータと共に該色調整を行った画像データが撮像された際に適用されたホワイトバランス情報もメモリーカード１６やＲＡＭ１７、フラッシュメモリ１９等に記録しても良い。ホワイトバランス情報とは、ケルビン、ミレッド等の色温度を示す値や、「晴天」、「蛍光灯」等の所定の色温度を示す情報である。通常電子スチルカメラによって撮像および作成された画像データには、該画像データのヘッダ情報部(Exif 情報部)にホワイトバランス情報が記憶されている。なお本実施形態における電子スチルカメラでは、晴天は５２００ケルビンを、蛍光灯は４２００ケルビンをそれぞれ示している。電子スチルカメラの制御部１３は、前記色詞整パラメータを基に前記ホワィトバランス情報が示す色温度設定値を調整し、該調整された色温設定値をホワイトバランスプリセット値としてメモリーカード１６やＲＡＭ１７、フラッシュメモリ１９等に記憶する。
【００２８】
ユーザーは、撮像時のホワイトバランス情報として前記ホワイトバランスプリセット値を用いることで、画像を見ながら好みに微調整したホワイトバランスで撮像できる。
【産業上の利用可能性】
【００２９】
本発明は、電子スチルカメラの分野において、産業上大いに利用できる。
【図面の簡単な説明】
【００３０】
【図１】本発明の実施形態の概要を示す説明図である。
【図２】本発明の実施形態の概要を示す説明図である。
【図３】本発明の実施形態の構成を示すブロック図である。
【図４】図３に示す実施形態の動作を示すフローチャートである。
【図５】色調整パラメータを用いた色調整の工程を示す図である。
【図６】図１に示すナビゲーションの説明図である。
【図７】色調整パラメータを用いて色調整を行うルックアップテーブルの一例を示す図である。
【符号の説明】
【００３１】
１…背面モニタ、２…操作キー、３…保存ボタン、４…色調整ボタン、５…ナビゲーション、６…カーソル６、１１…撮像素子、１２…画像処理部、１３…制御部、１４…操作部材、１６…メモリカード、１７…ＲＡＭ、１８…ＲＯＭ、１９…フラッシュメモリ
【図１】
0005245200.tif 000002
【図２】
0005245200.tif 000003
【図３】
0005245200.tif 000004
【図４】
0005245200.tif 000005
【図５】
0005245200.tif 000006
【図６】
0005245200.tif 000007
【図７】
0005245200.tif 000008